(57)【要約】【課題】エレベータシステムにおいて、竣工後のエレベータシステムの乗りかご内において表示される意匠を自由に変更することである。【解決手段】エレベータシステム１０は、乗りかご２１内に設けられる物品に意匠を表示する表示部２２と、乗客が所有する意匠情報を取得する意匠情報取得部１８と、意匠情報取得部１８によって取得された意匠情報に基づいて、乗りかご２１内に設けられる物品に表示する意匠の内容を変更させる制御部２０と、を備える。【選択図】図２
2011121769.tif 000002
【特許請求の範囲】
【請求項１】
乗りかご内に設けられる物品に意匠を表示する表示部と、
乗客が所有する意匠情報を取得する意匠情報取得部と、
意匠情報取得部によって取得された意匠情報に基づいて、乗りかご内に設けられる物品に表示する意匠の内容を変更させる表示制御部と、
を備えることを特徴とするエレベータシステム。
【請求項２】
請求項１に記載のエレベータシステムにおいて、
意匠情報取得部は、
乗りかご内において乗客の意匠情報を無線で取得可能な領域である情報取得可能領域に入った乗客の意匠情報を無線で取得することを特徴とするエレベータシステム。
【請求項３】
請求項２に記載のエレベータシステムにおいて、
意匠情報取得部は、
乗りかご内に複数人の乗客が乗り込んできた場合には、最初に情報取得可能領域に入った取得された乗客の意匠情報を表示制御部に送信し、
表示制御部は、
最初に情報取得可能領域に入った乗客の意匠情報に基づいて、乗りかご内に設けられる物品に表示する意匠の内容を変更させることを特徴とするエレベータシステム。
【請求項４】
請求項３に記載のエレベータシステムにおいて、
意匠情報取得部は、
情報取得可能領域に入った乗客が最後の一人になった場合には、最後の一人になった乗客の意匠情報を取得し、該意匠情報を表示制御部に送信し、
表示制御部は、
最後の一人になった乗客の意匠情報に基づいて、乗りかご内に設けられた物品に表示する意匠の内容を変更させることを特徴とするエレベータシステム。
【請求項５】
請求項１から請求項４のいずれか１に記載のエレベータシステムにおいて、
表示部は、
乗りかご内の側面壁に意匠を表示する有機ＥＬ表示部材であることを特徴とするエレベータシステム。
【請求項６】
請求項１から請求項４のいずれか１に記載のエレベータシステムにおいて、
乗りかご内に設けられる物品は、既設の乗りかご内の側面壁に沿って設けられる意匠表示用壁であり、
表示部は、
意匠表示用壁に意匠を表示する有機ＥＬ表示部材であることを特徴とするエレベータシステム。
【請求項７】
請求項１から請求項４のいずれか１に記載のエレベータシステムにおいて、
表示部は、
乗りかご内の天井部に意匠を表示する有機ＥＬ表示部材であることを特徴とするエレベータシステム。
【請求項８】
請求項１から請求項４のいずれか１に記載のエレベータシステムにおいて、
表示部は、
乗りかご内の乗りかご操作盤に意匠を表示する有機ＥＬ表示部材であることを特徴とするエレベータシステム。
【請求項９】
請求項１から請求項４のいずれか１に記載のエレベータシステムにおいて、
表示部は、
乗りかご内の乗りかご扉に意匠を表示する有機ＥＬ表示部材であることを特徴とするエレベータシステム。
【請求項１０】
請求項１から請求項９のいずれか１に記載のエレベータシステムにおいて、
意匠情報取得部は、
乗客が表示部によって表示されることを望む意匠の内容が意匠情報として記録されたＩＣタグから意匠情報を取得することを特徴とするエレベータシステム。
【請求項１１】
請求項１から請求項１０のいずれか１に記載のエレベータシステムにおいて、
表示制御部は、
乗りかご内から全ての乗客が降りた場合に、初期設定された意匠の内容に表示を変更させることを特徴とするエレベータシステム。
【請求項１２】
請求項１から請求項１１のいずれか１に記載のエレベータシステムにおいて、
表示部は、色彩によって意匠の内容を変更することを特徴とするエレベータシステム。
【請求項１３】
請求項１から請求項１２のいずれか１に記載のエレベータシステムにおいて、
表示部は、模様によって意匠の内容を変更することを特徴とするエレベータシステム。
【発明の詳細な説明】
【技術分野】
【０００１】
本発明は、エレベータシステムに係り、特に、表示部を備えるエレベータシステムに関する。
【背景技術】
【０００２】
現在、商業施設等の種々の場所において、エレベータシステムが設置されている。しかし、現在のエレベータシステムでは、乗りかご内の物品に表示される意匠は、竣工時の初期施工状態から年月が経過した後の大規模な意匠改修工事までの間は大きな変更等は無く、乗客がいつエレベータシステムを利用しても意匠が変更することがないため、日常的にそのエレベータシステムを利用する乗客にとっては面白みにかけることがある。
【０００３】
本発明に関連する技術として、例えば、特許文献１には、エレベーターかごの意匠仕様検討システムとして、指示部、表示部、記憶部および制御部を備える構成が開示されている。そして、この制御部は、上記表示部にエレベーターかごの内部各部の意匠図を表示する意匠図表示手段と、上記表示部に上記エレベーターかごの内部各部の意匠仕様を表示するかご意匠仕様表示手段と、上記表示部に上記エレベーターかごの内部各部の名称を表示する名称表示手段と、上記指示部により上記名称表示手段で表示された名称のうち特定の名称が指示されたときその名称に相当する部分に使用するパーツ意匠仕様群を上記意匠図および上記かご意匠仕様とともに上記表示部に表示するパーツ意匠仕様表示手段とを備える構成が開示されている。さらに、上記指示部により上記パーツ意匠仕様表示手段で表示されたパーツ意匠仕様群のうちの一つが指示されたとき上記意匠図の該当部分を当該指示された材質又は色彩に変更するとともに上記意匠仕様の該当するデータを指示されたパーツ意匠仕様のデータに変更するデータ変更手段とを備える構成が開示されている。
【０００４】
また、特許文献２には、エレベーターのかご室の意匠決定用具として、開口部および差し込み口を有するケースと、上記差し込み口から差し込まれて上記開口部から見ることができる透明な複数のシートとからなり、この複数のシートにかご室の構成部分の意匠の絵を立体的に印刷し、この複数のシートを重ね合わせるとかご室内の意匠の絵が再構成されるようにした構成が開示されている。
【先行技術文献】
【特許文献】
【０００５】
【特許文献１】特開平８−２６３５３７号公報
【特許文献２】特開平８−１５７１６５号公報
【発明の概要】
【発明が解決しようとする課題】
【０００６】
上記特許文献１は、乗りかごの意匠仕様を決定するためにマイクロコンピュータを用いたシステムであり、主にエレベータシステムの新設時又は乗りかご交換変更時に顧客に乗りかごの意匠を提案することはできるが、竣工後のエレベータシステムの乗りかご内において表示される意匠を自由に変更することはできない。
【０００７】
また、上記特許文献２は、複数のシートを組み合わせて乗りかご内の意匠を決定する際に用いる道具であり、竣工後のエレベータシステムの乗りかご内において表示される意匠を自由に変更することはできない。
【０００８】
本発明の目的は、竣工後のエレベータシステムの乗りかご内において表示される意匠を自由に変更することである。
【課題を解決するための手段】
【０００９】
本発明に係るエレベータシステムは、乗りかご内に設けられる物品に意匠を表示する表示部と、乗客が所有する意匠情報を取得する意匠情報取得部と、意匠情報取得部によって取得された意匠情報に基づいて、乗りかご内に設けられる物品に表示する意匠の内容を変更させる表示制御部と、を備えることを特徴とする。
【００１０】
また、本発明に係るエレベータシステムにおいて、意匠情報取得部は、乗りかご内において乗客の意匠情報を無線で取得可能な領域である情報取得可能領域に入った乗客の意匠情報を無線で取得することが好ましい。
【００１１】
また、本発明に係るエレベータシステムにおいて、意匠情報取得部は、乗りかご内に複数人の乗客が乗り込んできた場合には、最初に情報取得可能領域に入った取得された乗客の意匠情報を表示制御部に送信し、表示制御部は、最初に情報取得可能領域に入った乗客の意匠情報に基づいて、乗りかご内に設けられる物品に表示する意匠の内容を変更させることが好ましい。
【００１２】
また、本発明に係るエレベータシステムにおいて、意匠情報取得部は、情報取得可能領域に入った乗客が最後の一人になった場合には、最後の一人になった乗客の意匠情報を取得し、該意匠情報を表示制御部に送信し、表示制御部は、最後の一人になった乗客の意匠情報に基づいて、乗りかご内に設けられた物品に表示する意匠の内容を変更させることが好ましい。
【００１３】
また、本発明に係るエレベータシステムにおいて、表示部は、乗りかご内の側面壁に意匠を表示する有機ＥＬ表示部材であることが好ましい。
【００１４】
また、本発明に係るエレベータシステムにおいて、乗りかご内に設けられる物品は、既設の乗りかご内の側面壁に沿って設けられる意匠表示用壁であり、表示部は、意匠表示用壁に意匠を表示する有機ＥＬ表示部材であることが好ましい。
【００１５】
また、本発明に係るエレベータシステムにおいて、表示部は、乗りかご内の天井部に意匠を表示する有機ＥＬ表示部材であることが好ましい。
【００１６】
また、本発明に係るエレベータシステムにおいて、表示部は、乗りかご内の乗りかご操作盤に意匠を表示する有機ＥＬ表示部材であることが好ましい。
【００１７】
また、本発明に係るエレベータシステムにおいて、表示部は、乗りかご内の乗りかご扉に意匠を表示する有機ＥＬ表示部材であることが好ましい。
【００１８】
また、本発明に係るエレベータシステムにおいて、意匠情報取得部は、乗客が表示部によって表示されることを望む意匠の内容が意匠情報として記録されたＩＣタグから意匠情報を取得することが好ましい。
【００１９】
また、本発明に係るエレベータシステムにおいて、表示制御部は、乗りかご内から全ての乗客が降りた場合に、初期設定された意匠の内容に表示を変更させることが好ましい。
【００２０】
また、本発明に係るエレベータシステムにおいて、表示部は、色彩によって意匠の内容を変更することが好ましい。
【００２１】
また、本発明に係るエレベータシステムにおいて、表示部は、模様によって意匠の内容を変更することが好ましい。
【発明の効果】
【００２２】
上記構成のエレベータシステムによれば、意匠情報取得部によって取得された意匠情報に基づいて、乗りかご内に設けられる物品に表示する意匠の内容を変更させることができる。したがって、竣工後のエレベータシステムの乗りかご内において表示される意匠を自由に変更することができる。
【００２３】
上記構成の乗客が表示部によって表示されることを望む意匠の内容が意匠情報として記録されたＩＣタグから意匠情報を取得するエレベータシステムによれば、乗りかご内に設けられる物品において乗客が望む意匠を表示できるため、乗客がエレベータシステムを利用する際の楽しみが増す。
【図面の簡単な説明】
【００２４】
【図１】本発明の実施の形態において、エレベータシステムを乗場側から見た様子を示す図である。
【図２】本発明の実施の形態において、エレベータシステムの各要素を説明するために乗場扉を開放している様子を示す図である。
【図３】本発明の実施の形態において、エレベータシステムのうち乗りかご内から乗場側を見た様子を示す図である。
【図４】本発明の実施の形態において、乗客のＩＣタグに記録された情報に基づいて、乗りかごの側面壁に表示させる意匠の内容を変更する手順を示すフローチャートである。
【図５】本発明の実施の形態において、エレベータシステムを利用する乗客のＩＣタグの情報に基づいて、乗りかごの側面壁に表示される意匠を変更させる様子を示す参考図である。
【図６】本発明の実施の形態において、乗客のＩＣタグに記録された情報に基づいて、乗りかごの側面壁に表示させる意匠の内容を変更する手順を示すフローチャートである。
【発明を実施するための形態】
【００２５】
以下に、本発明に係る実施の形態について添付図面を参照しながら詳細に説明する。また、以下では、全ての図面において同様の要素には同一の符号を付し、重複する説明を省略する。また、以下では、表示部によって意匠が表示される物品であって、乗りかご内に設けられる物品は、側面壁、乗りかご扉、天井面、乗りかご操作盤、意匠表示用壁であるとして説明するが、これらが表示部によって意匠を表示される場合には、それぞれの物品は、適当な強度を有する透明部材を用いて構成することができる。また、以下では、表示部によって意匠が表示される側面壁は三方の側面壁として説明するが、開口を有する側面壁（乗りかご扉が設けられる壁）も含んだ四方の側面壁に意匠が表示されてもよい。また、以下では、表示部によって意匠が表示される物品であって、乗りかご内に設けられる物品は、側面壁、乗りかご扉、天井面、乗りかご操作盤、意匠表示用壁として説明するが、これら以外でも乗りかご内に設けられる物品であればよく、例えば、底面や天井面に設けられる照明器具であってもよい。
【００２６】
図１は、エレベータシステム１０を乗場８側から見た様子を示す図である。図２は、エレベータシステム１０の各要素を説明するために乗場扉１６を開放している様子を示す図である。図３は、エレベータシステム１０において乗りかご２１内から乗場８側を見た様子を示す図である。
【００２７】
エレベータシステム１０は、乗客５を所望の行先階まで移動させるための装置である。エレベータシステム１０は、乗場８と、乗場壁９と、乗場操作盤１２と、乗場三方枠１４と、乗場扉１６と、乗りかご２１と、意匠情報取得部１８と、制御部２０と、表示部２２とを含んで構成される。
【００２８】
乗場８は、乗客５が乗りかご２１の到着を待つための空間である。乗場壁９は、乗場８と、乗りかご２１が昇降するための昇降路（図示しない）との間の境界に設置される壁である。
【００２９】
乗場操作盤１２は、乗場壁９に取り付けられる操作盤であり、乗りかご２１を呼ぶための呼びボタンや乗りかご２１が現在位置している階床位置を表示する表示部を有している。
【００３０】
乗場三方枠１４は、乗客５が乗りかご２１に対して乗り降りするために乗場壁９に形成される開口の周囲に設けられる枠である。
【００３１】
乗場扉１６は、乗場三方枠１４で囲まれた開口を開閉する片開き、あるいは、両開きの扉である。
【００３２】
乗りかご２１は、乗客５が所望の行先階まで移動する際に乗り込むための空間を有する装置である。そして、乗りかご２１において乗客５が乗り込むための空間は、側面壁２４ａ，２４ｂ，２４ｃ，２４ｄと、乗りかご２１内を照明するための照明が設けられた天井面２５と、底面２６とによって形成される。また、乗りかご２１は、乗りかご操作盤２９と、乗りかご扉２７とを含んでいる。
【００３３】
側面壁２４ａは、乗場８側から乗りかご２１内を見た際に奥側に立設される壁である。側面壁２４ｂは、乗場８側から乗りかご２１内を見た際に左側に立設される壁である。側面壁２４ｃは、乗場８側から乗りかご２１内を見た際に右側に立設される壁である。側面壁２４ｄは、乗りかご２１内から乗場８側を見た際に乗りかご２１の奥側に立設される壁であり、各階床に到着した際に乗客５が乗り降りするための開口が設けられている。
【００３４】
乗りかご操作盤２９は、側面壁２４ｄに設けられる操作盤であり、乗りかご２１内に乗り込んだ乗客５が所望の行先階を設定するボタンと、乗りかご２１が現在位置している階床を表示する表示部を備えている。
【００３５】
乗りかご扉２７は、乗客５が乗りかご２１に対して乗り降りするために、側面壁２４ｄに形成される開口を開閉する片開き、あるいは、両開きの扉である。
【００３６】
エレベータシステム１０を利用しようとする乗客５が所有しているＩＣタグ７（ＲＦＩＤタグ）は、乗客５に関する身分証明情報が記録されているとともに、その乗客５が乗りかご２１内の側面壁２４ａ，２４ｂ，２４ｃの三方の壁に表示させたい意匠の内容を意匠情報として記録する。ここで、表示させたい意匠の内容としては、例えば、三方の壁の全面を「赤色」「青色」「黄色」「紫色」「水色」「金色」「銀色」の色彩で統一してもよく、また、側面壁２４ａを「赤色」、側面壁２４ｂを「黄色」、側面壁２４ｃを「紫色」と各側面壁で別々の色彩に分けて表示してもよい。また、意匠の内容としては、種々の色彩を表示させる他、乗客５が好む種々の模様、例えば、「市松模様」や「縞模様」を表示させてもよい。
【００３７】
表示部２２は、乗りかご２１内の側面壁２４ａ，２４ｂ，２４ｃの三方の壁の全面に意匠を表示する有機ＥＬディスプレイ装置である。ここで、有機ＥＬディスプレイ装置は、発光層が有機化合物のフィルムから成る発光ダイオードであって、有機化合物中に注入された電子と正孔の再結合によって生じた励起子によって発光する現象を利用している薄型ディスプレイ装置である。また、表示部２２は、制御部２０の制御によって乗りかご２１内の側面壁２４ａ，２４ｂ，２４ｃに表示させる意匠（模様・色彩またはこれらの結合）の変更をする。なお、図２では、表示部２２は、側面壁２４ａに配置されるように図示されているが、この図示された配置に限定されず、側面壁２４ａ，２４ｂ，２４ｃの全面に意匠を表示できるように配置されていればよく、例えば、側面壁２４ａ，２４ｂ，２４ｃの裏側面において、側面壁２４ａ，２４ｂ，２４ｃに跨って配置されていてもよい。
【００３８】
意匠情報取得部１８は、無線通信によってＩＣタグ７に記録された情報を取得し、それらの情報を制御部２０に送信する機能を有する。また、意匠情報取得部１８は、ＩＣタグ７に記録された情報を取得したか否かを判断する機能を有する。ここで、意匠情報取得部１８は、乗りかご２１内において、側面壁２４ｂに取り付けられ、底面２６から２００センチメートルの範囲内の領域をＩＣタグ７に記録された情報が取得可能な情報取得可能領域として設定されている。さらに、意匠情報取得部１８は、情報取得可能領域においてＩＣタグ７が存在するか否かで乗客５が乗りかご２１にいるか否かを判断する機能を有する。
【００３９】
制御部２０は、表示部２２に対して意匠表示指令を与える機能を有する。具体的には、制御部２０は、意匠情報取得部１８から意匠情報を取得していない場合には、意匠の初期設定として、例えば、背景色が白色で無模様の意匠を表示するように指令を与える。また、意匠情報取得部１８から意匠情報を取得している場合に、その意匠情報が、例えば、背景色が青色で無模様の意匠を表示させることを望んでいる意匠情報である場合には、表示部２２に背景色が青色で無模様の意匠を表示するように指令を与える。
【００４０】
上記構成のエレベータシステム１０の動作について、図１〜図４を用いて説明する。図４は、乗客５のＩＣタグ７に記録された意匠情報に基づいて、乗りかご２１の側面壁２４ａ，２４ｂ，２４ｃに表示させる意匠の内容を変更する手順を示すフローチャートである。まず、制御部２０は、乗りかご２１の側面壁２４ａ，２４ｂ，２４ｃに初期設定の意匠を表示させるように表示部２２に指令を与える（Ｓ１０）。具体的には、初期設定の意匠として、背景色が白色で無模様の意匠を乗りかご２１の側面壁２４ａ，２４ｂ，２４ｃに表示させるように表示部２２に指令を与える。
【００４１】
そして、意匠情報取得部１８は、乗客５の意匠情報を取得したか否かを判断する（Ｓ１２）。意匠情報取得部１８が乗客５の意匠情報を取得していないと判断した場合には、再びＳ１２へと戻る。
【００４２】
Ｓ１２において、意匠情報取得部１８が乗客５の意匠情報を取得したと判断した場合には、意匠情報取得部１８は、制御部２０に当該意匠情報を送信し、制御部２０は、当該意匠情報に基づいた意匠を表示部２２に表示させるように指令する（Ｓ１４）。例えば、乗客５の意匠情報が、背景色が青色で無模様の意匠の表示を望んでいる場合には、そのような意匠を乗りかご２１の側面壁２４ａ，２４ｂ，２４ｃに表示させるように指令する。
【００４３】
次に、意匠情報取得部１８は、乗りかご２１内に乗客５がいるか否かを判断する（Ｓ１６）。具体的には、意匠情報取得部１８は、乗りかご２１内の情報取得可能領域において、乗客５の意匠情報を取得できる場合には、乗りかご２１に乗客５がいると判断して再びＳ１６へと戻る。
【００４４】
そして、Ｓ１６において、意匠情報取得部１８が、情報取得可能領域において乗客５の意匠情報を取得できない場合には、乗りかご２１に乗客５がいないと判断し、さらにリターン処理を介して、制御部２０は、再び乗りかご２１の側面壁２４ａ，２４ｂ，２４ｃに初期設定の意匠を表示させるように表示部２２に指令を与える（Ｓ１０）。
【００４５】
このように、エレベータシステム１０によれば、乗りかご２１内に乗り込んだ乗客５の所有するＩＣタグ７に記録された意匠情報に基づいて、乗りかご２１の側面壁２４ａ，２４ｂ，２４ｃの意匠を自由かつ瞬時に変更することができる。したがって、エレベータシステム１０によれば、乗客５が望んで設定した意匠を乗りかご２１の側面壁２４ａ，２４ｂ，２４ｃに表示できるため、乗客５がエレベータシステム１０を利用する際の楽しみが増すという効果がある。
【００４６】
図５は、エレベータシステム１０を利用する乗客５のＩＣタグ７の情報に基づいて、乗りかご２１の側面壁２４ａ，２４ｂ，２４ｃに表示される意匠を変更させる様子を示す参考図である。図５（ａ）には、エレベータシステム１０の乗場８付近において、乗場操作盤１２を操作するために移動している様子が示されている。図５（ｂ）には、乗客５が乗場操作盤１２を操作して、乗りかご１２が階床に到着した際に乗場扉１６，乗りかご扉２７が開いた様子を示す図である。このとき、乗りかご２１の側面壁２４ａ，２４ｂ，２４ｃには、初期設定の意匠である「背景色が白色で無模様の意匠」が表示されている。図５（ｃ）には、乗客５が乗りかご２１に乗り込んで、意匠情報取得部１８にＩＣタグ７の意匠情報が取得されて、制御部２０の制御によって表示部２２が乗りかご２１の側面壁２４ａ，２４ｂ，２４ｃが当該意匠情報に基づいた意匠（例えば、背景色が青色で無模様の意匠）を表示している様子が示されている。
【００４７】
次に、エレベータシステム１０の第１変形例について説明する。エレベータシステム１０の第１変形例とエレベータシステム１０との相違は、意匠情報取得部１８であるため、その相違点を中心に説明する。
【００４８】
意匠情報取得部１８は、無線通信によってＩＣタグ７に記録された情報を取得し、それらの情報を制御部２０に送信する機能を有する。ここで、意匠情報取得部１８は、乗りかご２１内において、側面壁２４ｂに取り付けられ、底面２６から２００センチメートルの範囲内の領域をＩＣタグ７に記録された情報が取得可能な情報取得可能領域として設定されている。そして、意匠情報取得部１８は、情報取得可能領域内においてＩＣタグ７がいくつ存在するかを判断する機能を有する。また、意匠情報取得部１８は、複数のＩＣタグ７から情報を取得した場合には、最初に取得した意匠情報を制御部２０に対して送信する。さらに、意匠情報取得部１８は、複数のＩＣタグ７から情報を取得した場合に、情報取得可能領域の存在するＩＣタグ７の数を監視し、ＩＣタグ７の数が残りの１つになった場合、換言すれば、最後の一人の乗客５のみになっている場合に、当該ＩＣタグ７の意匠情報を再度取得し、乗客５の意匠情報を更新するために当該意匠情報を制御部２０に送信する機能を有する。
【００４９】
続いて、エレベータシステム１０の第１変形例の動作について、図６等を用いて説明する。図６は、乗客５のＩＣタグ７に記録された意匠情報に基づいて、乗りかご２１の側面壁２４ａ，２４ｂ，２４ｃに表示させる意匠の内容を変更する手順を示すフローチャートである。まず、制御部２０は、乗りかご２１の側面壁２４ａ，２４ｂ，２４ｃに初期設定の意匠を表示させるように表示部２２に指令する（Ｓ２０）。具体的には、初期設定の意匠として、背景色が白色で無模様の意匠を乗りかご２１の側面壁２４ａ，２４ｂ，２４ｃに表示させるように表示部２２に指令を与える。
【００５０】
そして、意匠情報取得部１８は、乗客５の意匠情報を取得したか否かを判断する（Ｓ２２）。意匠情報取得部１８が乗客５の意匠情報を取得していないと判断した場合には、再びＳ２２へと戻る。
【００５１】
Ｓ２２において、乗客５の意匠情報を取得したと判断した場合には、さらに、意匠情報取得部１８は、複数の乗客５の意匠情報を取得したか否かを判断する（Ｓ２４）。Ｓ２４において、複数の乗客５の意匠情報を取得していないと判断した場合には、意匠情報取得部１８は、取得した１つの意匠情報を制御部２０に送信し、制御部２０は、当該意匠情報に基づいて意匠を表示部２２に表示させるように指令する（Ｓ２５）。その後、Ｓ３４へと進む。
【００５２】
Ｓ２４において、意匠情報取得部１８が複数の意匠情報を取得していると判断した場合には、最初に取得した意匠情報を制御部２０に送信し、制御部２０は、当該意匠情報に基づいた意匠を表示部２２に表示させるように指令する（Ｓ２６）。
【００５３】
Ｓ２６の後は、意匠情報取得部１８が乗りかご２１内の乗客５が残り１人であるか否かを判断する（Ｓ２８）。具体的には、意匠情報取得部１８によって情報取得可能領域内において取得できる意匠情報の数が残り１個になっているか否かで判断する。Ｓ２８において、意匠情報の数が残り１個でないと判断された場合には、再びＳ２８へと戻る。
【００５４】
Ｓ２８において、意匠情報取得部１８において取得できる意匠情報の数が残り１個であると判断された場合には、残り１人の乗客５の意匠情報を再度取得して、当該意匠情報を制御部２０へ送信する（Ｓ３０）。
【００５５】
次に、制御部２０は、残り１人の乗客５の意匠情報に基づいて、乗りかご２１の側面壁２４ａ，２４ｂ，２４ｃに表示させる意匠の内容を変更させるように表示部２２に指令を与える（Ｓ３２）。
【００５６】
そして、意匠情報取得部１８は、乗りかご２１内に乗客５がいるか否かを判断する（Ｓ３４）。具体的には、情報取得可能領域において、乗客５の意匠情報が取得できると判断した場合には、乗りかご２１に乗客５がいると判断して再びＳ３４へと戻る。
【００５７】
それから、情報取得可能領域において、乗客５の意匠情報が取得できないと判断した場合には、乗りかご２１に乗客５がいないと判断して、リターン処理を介して、再び乗りかご２１の側面壁２４ａ，２４ｂ，２４ｃに初期設定の意匠を表示させるように表示部２２に指令を与える（Ｓ２０）。
【００５８】
このように、エレベータシステム１０の第１変形例によれば、乗りかご２１内に乗り込んだ乗客５が複数いる場合であっても、乗りかご２１の側面壁２４ａ，２４ｂ，２４ｃに表示させる意匠の内容を柔軟に変更することができる。
【００５９】
次に、エレベータシステム１０の第２変形例について説明する。エレベータシステム１０の第２変形例とエレベータシステム１０の相違は、表示部２２によって意匠を表示させる物品（乗りかご２１の天井面２５）のみであるため、その点を中心に説明する。
【００６０】
表示部２２は、天井面２５の全面に意匠を表示する有機ＥＬディスプレイ装置である。表示部２２は、制御部２０の制御によって天井面２５に表示させる意匠（模様・色彩またはこれらの結合）の変更をする機能を有する。
【００６１】
続いて、エレベータシステム１０の第２変形例の作用について説明する。上記のようにエレベータシステム１０の第２変形例によれば、エレベータシステム１０とは異なり天井面２５に意匠が表示されるため、乗客５が天井を見上げた際に楽しみが増すような意匠の変更を行うことができる。
【００６２】
次に、エレベータシステム１０の第３変形例について説明する。エレベータシステム１０の第３変形例とエレベータシステム１０の相違は、表示部２２によって意匠を表示させる物品（乗りかご２１の乗りかご操作盤２９）であるため、その点を中心に説明する。
【００６３】
表示部２２は、乗りかご操作盤２９に意匠を表示する有機ＥＬディスプレイ装置である。制御部２０の制御によって乗りかご操作盤２９に表示させる意匠（模様・色彩またはこれらの結合）の変更をする機能を有する。
【００６４】
続いて、エレベータシステム１０の第３変形例の作用について説明する。上記のようにエレベータシステム１０の第３変形例によれば、エレベータシステム１０とは異なり乗りかご操作盤２９に意匠が表示されるため、乗客５が乗りかご操作盤２９をボダン操作等の操作する際に楽しみが増すような意匠の変更を行うことができる。
【００６５】
次に、エレベータシステム１０の第４変形例について説明する。エレベータシステム１０の第４変形例とエレベータシステム１０の相違は、表示部２２によって意匠を表示させる物品（乗りかご扉２７）であるため、その点を中心に説明する。
【００６６】
表示部２２は、乗りかご扉２７に意匠を表示する有機ＥＬディスプレイ装置である。制御部２０の制御によって乗りかご扉２７に表示させる意匠（模様・色彩またはこれらの結合）の変更をする機能を有する。
【００６７】
続いて、エレベータシステム１０の第４変形例の作用について説明する。上記のようにエレベータシステム１０の第４変形例によれば、エレベータシステム１０とは異なり乗りかご扉２７に意匠が表示されるため、乗客５が乗りかご２１内に乗り込んで、乗りかご扉２７側を向くために振り向いた際の楽しみが増すような意匠の変更を行うことができる。
【００６８】
次に、エレベータシステム１０の第５変形例について説明する。エレベータシステム１０の第５変形例とエレベータシステム１０の相違は、表示部２２によって意匠を表示させる物品であるため、その点を中心に説明する。
【００６９】
エレベータシステム１０の第５変形例において表示部２２によって意匠を表示させる物品は、上記エレベータシステム１０およびエレベータシステム１０の第１〜第４変形例と異なり、既設の乗りかご２１に後から設置される意匠表示用壁である。
【００７０】
意匠表示用壁は、乗りかご２１の側面壁２４ａ，２４ｂ，２４ｃに沿って設けられ、乗りかご２１の側面壁２４ａ，２４ｂ，２４ｃの総面積とほぼ同じ総面積の壁である。意匠表示用壁は、上述したとおり、既設のエレベータシステムに後から簡単に取り付けることができる。
【００７１】
表示部２２は、乗りかご２１内に設けられる意匠表示用壁の全面に意匠を表示する有機ＥＬディスプレイ装置である。表示部２２は、エレベータシステム１０において説明したように制御部２０の制御によって表示する意匠の内容を変更する。
【００７２】
続いて、エレベータシステム１０の第５変形例の作用について説明する。上記のようにエレベータシステム１０の第５変形例によれば、意匠表示用壁を乗りかご２１の側面壁２４ａ，２４ｂ，２４ｃに沿って設ける等といった比較的簡単な工事で乗りかご２１内の変更することができるため、大規模な意匠の改修工事を行う必要がないというメリットがある。
【符号の説明】
【００７３】
５  乗客、７  ＩＣタグ、８  乗場、９  乗場壁、１０  エレベータシステム、１２  乗場操作盤、１４  乗場三方枠、１６  乗場扉、１８  意匠情報取得部、２０  制御部、２２  表示部、２４ａ，２４ｂ，２４ｃ，２４ｄ  側面壁、２５  天井面、２６  底面、２７  乗りかご扉、２９  乗りかご操作盤。
【図１】
2011121769.tif 000003
【図２】
2011121769.tif 000004
【図３】
2011121769.tif 000005
【図４】
2011121769.tif 000006
【図５】
2011121769.tif 000007
【図６】
2011121769.tif 000008